(57)【要約】【課題】連れ給送を防止する手段を備えた自動給送装置において、給送された被記録材が電子機器内を搬送される時に被記録材に傷等が付いてしまうことを防止するとともに、給送された被記録材が電子機器内を搬送される時の被記録材の搬送負荷及び搬送負荷変動を低減させる。【解決手段】複数の案内部材８１は、給送用ローラ７４の回転に連動して、案内リブ７５１の頂面より上方へ進出する（符号Ｅ）。搬送駆動ローラ５１の回転により搬送方向Ｙへ搬送される記録紙Ｐは、案内部材８１によって、紙戻しレバー７８から離間する方向（符号Ｆで示した方向）へ押動された状態で支持されながら給送方向ＹＦへ案内される。それによって、給送された記録紙Ｐが紙戻しレバー７８から離間した状態又は紙戻しレバー７８にほとんど接しない状態にすることができる。【選択図】図５
2009263068.tif 000002
【特許請求の範囲】
【請求項１】
被記録材を給送方向へ案内する給送案内面と、
給送されるべき被記録材から他の被記録材を分離する分離手段と、
変位可能に配設され、前記給送案内面に進出して前記他の被記録材を係止する係止部材と、を備えた自動給送装置において、
前記係止部材より前記給送方向の下流側に変位可能に配設され、前記給送案内面に沿って搬送される被記録材を前記係止部材から離間させる方向へ押動した状態で支持可能な案内部材を備えている、ことを特徴とした自動給送装置。
【請求項２】
請求項１に記載の自動給送装置において、前記案内部材が前記給送方向と交差する方向へ離間して複数配設されている、ことを特徴とした自動給送装置。
【請求項３】
請求項１又は２に記載の自動給送装置において、回転駆動力源の回転が伝達されて回転する給送用ローラの回転により被記録材が前記給送案内面に沿って給送され、前記案内部材は、前記給送用ローラの回転に連動して変位する、ことを特徴とした自動給送装置。
【請求項４】
請求項１〜３のいずれか1項に記載の自動給送装置において、前記案内部材は、前記係止部材の変位に連動して変位する、ことを特徴とした自動給送装置。
【請求項５】
請求項１〜４のいずれか1項に記載の自動給送装置において、前記案内部材は、所定の変位位置で前記給送案内面の一部を構成する、ことを特徴とした自動給送装置。
【請求項６】
所定の搬送方向へ被記録材を搬送する搬送手段と、
前記搬送手段により搬送される被記録材に記録を実行する手段又は前記搬送手段により搬送される被記録材に記録されている情報を読み取る手段と、
前記搬送手段へ被記録材を給送する請求項１〜５のいずれか１項に記載の自動給送装置と、を備えた電子機器。
【発明の詳細な説明】
【技術分野】
【０００１】
本発明は、回転駆動力源の回転が伝達されて回転する給送用ローラの回転により被記録材を給送する自動給送装置、該自動給送装置を備えた電子機器に関する。
【背景技術】
【０００２】
用紙等の被記録材を一ずつ自動給送する自動給送装置を備えた電子機器が公知である。例えば、被記録材の記録面に文字や画像等の記録を実行する手段を備えたインクジェットプリンタ等の記録装置、記録実行済みの被記録材の記録面に記録されている文字や画像等を読み取る手段を備えたファクシミリ、コピー機、スキャナ装置等である。このような電子機器に搭載される自動給送装置は、給送用ローラの回転により給送される一の被記録材に重なった状態で給送されようとする他の被記録材を前記一の被記録材から分離する分離手段とを備えているのが一般的である。
【０００３】
分離手段の一例としては、所定の摩擦抵抗面を有する分離パッドや所定の従動回転抵抗を付与されて軸支されるリタードローラ等を給送用ローラの外周面に所定の押圧力で押圧するものが一般的である。このような分離手段においては、給送用ローラの外周面と分離面（分離パッド、リタードローラの外周面）とで被記録材を挟持したときに、給送用ローラの外周面と被記録材との接触面に生ずる摩擦力より小さく被記録材同士の接触面に生ずる摩擦力より大きい摩擦力が、分離面と被記録材との接触面に作用する。それによって、給送用ローラの外周面に接している被記録材は、給送用ローラの回転により給送され、他の被記録材は、先端近傍が分離パッドやリタードローラの外周面で係止されるので、複数の被記録材が重なった状態で給送される重送が防止される。
【０００４】
そして、自動給送装置により電子機器内へ給送された被記録材は、電子機器の搬送手段で搬送される。このとき、自動給送装置においては、その給送された被記録材が搬送される際にその搬送中の被記録材にバックテンション（引っ張り負荷）が作用しないように、給送用ローラの外周面から分離面（分離パッド、リタードローラの外周面）が相対的に離間した状態となり、給送用ローラの外周面と分離面とによる被記録材の挟持状態が解除されるのが通常である。
【０００５】
ところが、給送用ローラの外周面から分離面（分離パッド、リタードローラの外周面）が相対的に離間した状態となることによって、分離手段により分離された他の被記録材の挟持状態も解除されることになる。つまり、分離手段により分離された他の被記録材は、比較的自由に給送経路を移動可能な状態になってしまう。そのため、給送された被記録材が電子機器の搬送手段で搬送されていく際に、その給送された被記録材に接している他の被記録材が、その給送された被記録材の搬送に引きずられるようにして給送されてしまうことがある。これが、いわゆる連れ給送と呼ばれる現象である。
【０００６】
このような連れ給送を防止可能な自動給送装置の一例としては、例えば、リタードローラ等の分離手段により給送すべき被記録材から分離された他の被記録材を係止部材で係止し、さらに係止した他の被記録材を係止部材で給送用トレイ等へ押し戻す戻し機構を備えた自動給送装置が公知である（例えば、特許文献１を参照）。
【特許文献１】特開２００６−１１７３８７号公報
【発明の開示】
【発明が解決しようとする課題】
【０００７】
しかしながら、上記のような係止部材を設けることによって、給送された被記録材は、その係止部材に摺接しながら電子機器内を搬送されることになる。それによって、その被記録材の係止部材が摺接する部分に傷等が付いてしまう虞が生ずる。また、給送された被記録材が電子機器内を搬送される時の搬送負荷（バックテンション）が増加し、搬送手段による搬送精度が低下する虞が生ずる。さらに、電子機器内を搬送される被記録材の後端が係止部材から離間する時に、搬送負荷が大きく変動して瞬間的に大きな搬送誤差が生じてしまう虞がある。
【０００８】
本発明は、このような状況に鑑み成されたものであり、その課題は、連れ給送を防止する手段を備えた自動給送装置において、給送された被記録材が電子機器内を搬送される時に被記録材に傷等が付いてしまうことを防止するとともに、給送された被記録材が電子機器内を搬送される時の被記録材の搬送負荷及び搬送負荷変動を低減させることにある。
【課題を解決するための手段】
【０００９】
上記課題を達成するため、本発明の第１の態様は、被記録材を給送方向へ案内する給送案内面と、給送されるべき被記録材から他の被記録材を分離する分離手段と、変位可能に配設され、前記給送案内面に進出して前記他の被記録材を係止する係止部材と、を備えた自動給送装置において、前記係止部材より前記給送方向の下流側に変位可能に配設され、前記給送案内面に沿って搬送される被記録材を前記係止部材から離間させる方向へ押動した状態で支持可能な案内部材を備えている、ことを特徴とした自動給送装置である。
【００１０】
分離手段により給送されるべき被記録材から分離された他の被記録材は、給送案内面に進出した係止部材により係止される。それによって、いわゆる連れ給送を防止することができる。そして、給送案内面に沿って搬送される被記録材は、係止部材より給送方向の下流側において、案内部材により係止部材から離間する方向へ押動された状態で支持される。それによって、給送された被記録材が係止部材から離間した状態又は係止部材にほとんど接しない状態にすることができる。
【００１１】
このように、給送された被記録材が係止部材から離間した状態又は係止部材にほとんど接しない状態にすることができるので、その被記録材に係止部材が摺接して傷等が付いてしまうことを防止することができる。また、給送された被記録材が電子機器内を搬送される時の搬送負荷を低減させることができる。さらに、電子機器内を搬送される被記録材の後端が係止部材から離間する時に、搬送負荷が大きく変動する虞を低減させることができる。
【００１２】
また、案内部材は、変位可能に配設されているので、適切なタイミングで給送案内面に出没させることができる。例えば、給送案内面に沿って給送される被記録材の給送方向の先端が電子機器の搬送手段に到達して係合した後に、その被記録材を係止部材から離間する方向へ押動した状態で支持する位置へ変位させる。それによって、被記録材の給送方向の先端が給送途中で案内部材に引っ掛かってしまうことを確実に回避することができるとともに、その被記録材が給送途中で給送案内面による本来の給送経路から逸脱してしまうことを確実に回避することができる。
【００１３】
これにより、本発明の第１の態様に記載の自動給送装置によれば、連れ給送を防止する手段を備えた自動給送装置において、給送された被記録材が電子機器内を搬送される時に被記録材に傷等が付いてしまうことを防止することができるとともに、給送された被記録材が電子機器内を搬送される時の被記録材の搬送負荷及び搬送負荷変動を低減させることができるという作用効果が得られる。
【００１４】
本発明の第２の態様は、前述した第１の態様に記載の自動給送装置において、前記案内部材が前記給送方向と交差する方向へ離間して複数配設されている、ことを特徴とした自動給送装置である。  
このように、複数の案内部材を給送方向と交差する方向へ離間して配設することによって、被記録材をより安定的に支持しながら給送方向へ案内することができる。それによって、給送された被記録材が電子機器内を搬送される時にスキュー（搬送方向に対する被記録材の傾き）等が生ずる虞を低減させることができる。
【００１５】
本発明の第３の態様は、前述した第１の態様又は第２の態様に記載の自動給送装置において、回転駆動力源の回転が伝達されて回転する給送用ローラの回転により被記録材が前記給送案内面に沿って給送され、前記案内部材は、前記給送用ローラの回転に連動して変位する、ことを特徴とした自動給送装置である。  
このように、給送用ローラの回転に連動して案内部材を変位させることによって、給送用ローラの回転により給送される被記録材の位置に応じて、適切なタイミングで案内部材を変位させることができる。
【００１６】
本発明の第４の態様は、前述した第１〜第３の態様のいずれかに記載の自動給送装置において、前記案内部材は、前記係止部材の変位に連動して変位する、ことを特徴とした自動給送装置である。
【００１７】
このように、係止部材の変位に連動して案内部材を変位させることによって、係止部材が給送案内面に進出するタイミングに合わせて案内部材を変位させることができる。したがって、例えば、係止部材が給送案内面に進出する前に、給送された被記録材を係止部材から離間する方向へ押動した状態で支持する位置へ案内部材を変位させれば、給送された被記録材が係止部材に摺接することを確実に回避することができる。
【００１８】
本発明の第５の態様は、前述した第１〜第４の態様のいずれかに記載の自動給送装置において、前記案内部材は、所定の変位位置で前記給送案内面の一部を構成する、ことを特徴とした自動給送装置である。
【００１９】
例えば、給送案内面の一部に案内部材が出没するための孔等が設けられていると、その孔等に、給送される被記録材の先端が引っ掛かってしまう虞が生ずる。本発明の第５の態様に記載の自動給送装置は、案内部材が給送案内面の一部を構成するので、案内部材を変位可能に配設しつつ、孔等がない一連の給送案内面を構成することができる。それによって、給送される被記録材の先端が給送案内面に引っ掛かってしまう虞を低減させることができる。
【００２０】
本発明の第６の態様は、所定の搬送方向へ被記録材を搬送する搬送手段と、前記搬送手段により搬送される被記録材に記録を実行する手段又は前記搬送手段により搬送される被記録材に記録されている情報を読み取る手段と、前記搬送手段へ被記録材を給送する前述した第１〜第５の態様のいずれかに記載の自動給送装置と、を備えた電子機器である。  
本発明の第６の態様に記載の電子機器によれば、所定の搬送方向へ被記録材を搬送する搬送手段と、搬送手段により搬送される被記録材に記録を実行する手段又は搬送手段により搬送される被記録材に記録されている情報を読み取る手段とを備えた電子機器において、前述した第１〜第５の態様のいずれかに記載の発明による作用効果を得ることができる。
【発明を実施するための最良の形態】
【００２１】
以下、本発明の実施の形態を図面に基づいて説明する。
【００２２】
＜インクジェットプリンタの概略構成＞
まず、本発明に係る「記録装置」の一例であるインクジェットプリンタ５０の概略構成について、図１を参照しながら説明する。  
図１は、インクジェットプリンタ５０の側断面図である。
【００２３】
インクジェットプリンタ５０は、記録紙Ｐをインクジェットプリンタ５０の内部へ給送するための自動給送装置７０を備えている。また、インクジェットプリンタ５０は、プラテン５３に支持されている「被記録材」としての記録紙Ｐを搬送方向Ｙへ搬送する「搬送手段」として搬送駆動ローラ５１及び搬送従動ローラ５２を備えている。さらに、インクジェットプリンタ５０は、プラテン５３に支持されている記録紙Ｐに記録を実行する手段として、プラテン５３に支持されている記録紙Ｐの記録面にインクを噴射する記録ヘッド６２を備えている。さらに、インクジェットプリンタ５０は、記録実行後の記録紙Ｐを搬送方向Ｙへ搬送し排出する手段として排出駆動ローラ５４及び排出従動ローラ５５を備えている。
【００２４】
搬送駆動ローラ５１は、表面に高摩擦被膜が施されており、図示していない搬送用モータの回転駆動力が伝達されて回転する。搬送従動ローラ５２は、従動回転可能に軸支され、図示していないばね等の付勢手段によって、搬送駆動ローラ５１の外周面に当接した状態で付勢されている。自動給送装置７０により給送された記録紙Ｐは、搬送駆動ローラ５１と搬送従動ローラ５２とで挟持され、搬送駆動ローラ５１の駆動回転により搬送方向Ｙへ所定の搬送量でプラテン５３上を搬送される。
【００２５】
記録ヘッド６２は、キャリッジ６１の底部に配設されている。記録ヘッド６２のヘッド面には、インクを噴射するための多数の噴射ノズル（図示せず）が配設されている。キャリッジ６１は、記録ヘッド６２のヘッド面とプラテン５３上の記録紙Ｐの記録面とが略平行となる状態を維持しつつ記録紙Ｐの幅方向Ｘ（搬送方向Ｙと交差する方向）へ往復動可能に、キャリッジガイド軸５６に支持されている。キャリッジ６１は、図示していないキャリッジ駆動用モータの回転軸に配設された駆動プーリ（図示せず）と従動プーリ（図示せず）との間に掛架された無端ベルト（図示せず）が連結されており、無端ベルトを介してキャリッジ駆動用モータの回転駆動力が伝達されて幅方向Ｘへ往復動する。
【００２６】
プラテン５３は、記録紙Ｐの搬送方向Ｙに沿って形成された多数のプラテンリブ（図示せず）を有している。プラテン５３上を搬送される記録紙Ｐは、このプラテンリブの頂面で裏面側から支持される。記録紙Ｐは、このプラテン５３に支持された領域において、記録ヘッド６２のヘッド面からのインク噴射により記録面にドットが形成されて記録が実行される。記録ヘッド６２のヘッド面と記録紙Ｐの記録面との間隔は、プラテンリブの頂面によって適正な間隔に規定される。
【００２７】
プラテン５３上を搬送される記録紙Ｐは、キャリッジ６１が幅方向Ｘへ往復動しながら記録ヘッド６２のヘッド面から記録紙Ｐの記録面にインクを噴射してドットを形成する動作と、搬送駆動ローラ５１の駆動回転により搬送方向Ｙへ所定の搬送量で搬送する動作とが交互に繰り返されることによって、記録面への記録が実行される。インク噴射後の記録紙Ｐは、排出駆動ローラ５４と排出従動ローラ５５とで挟持され、排出駆動ローラ５４の駆動回転により搬送方向Ｙへ搬送されて排出される。これらの一連の記録制御は、図示していない制御回路により実行される。
【００２８】
＜本発明に係る自動給送装置の構成＞
つづいて、本発明に係る自動給送装置７０の構成について、引き続き図１を参照しつつ図２〜図５も参照しながら説明する。
【００２９】
図２は、本発明に係る自動給送装置７０の一部を拡大図示した斜視図である。図３は、本発明に係る自動給送装置７０の要部を図示した斜視図である。  
自動給送装置７０は、ホッパ７１、左エッジガイド７２、右エッジガイド７３、給送用ローラ７４、給送経路７５、分離パッド７６、給送用モータ７７及び戻しレバー７８を備えている。ホッパ７１は、記録紙Ｐの載置面を構成し、両側端の上部に設けられた揺動軸７１１で、自動給送装置７０の基体７０１に揺動可能に軸支されている。左エッジガイド７２及び右エッジガイド７３は、幅方向Ｘへスライド可能にホッパ７１に支持されている。ホッパ７１に載置された記録紙Ｐは、左エッジガイド７２及び右エッジガイド７３に幅方向Ｘの両端が当接した状態で、幅方向Ｘの位置が所定位置に規制される。
【００３０】
給送用ローラ７４は、給送用ローラ軸７４１に一体的に配設されており、給送用モータ７７の回転駆動力で給送用ローラ軸７４１が回転することによって回転する。また、給送用ローラ７４は、図示の如く、回転中心となる給送用ローラ軸７４１から外周面までの距離が相対的に長い円弧状の部分と相対的に短い直線状の部分とを有する、いわゆるＤ型ローラである。
【００３１】
給送経路７５には、複数の案内リブ７５１が設けられている。この案内リブ７５１の頂面は、記録紙Ｐを給送方向ＹＦへ案内する「給送案内面」を構成する。「分離手段」としての公知の分離パッド７６は、給送されるべき記録紙Ｐから他の記録紙を分離して重送を防止するための部材である。「係止部材」としての紙戻しレバー７８は、変位可能に基体７０１に支持されており、給送用ローラ軸７４１に一体に設けられたカム（図示せず）と係合して給送用ローラ７４の回転に連動して変位する。
【００３２】
さらに、本発明に係る自動給送装置７０は、紙戻しレバー７８より給送方向ＹＦの下流側に変位可能に配設された案内部材８１を備えている。案内部材８１は、紙戻しレバー７８より給送方向ＹＦの下流側に、給送方向ＹＦと交差する方向（幅方向Ｘと同じ方向）へ離間して複数配設されている。複数の案内部材８１は、基体７０１に軸支された揺動軸８２に一体に形成されている。揺動軸８２の端部には、揺動体８３が一体に形成されており、揺動体８３には、揺動規制レバー８４が一体に形成されている。また、複数の案内部材８１は、基体７０１との間に縮設されたコイルばね８６のばね力によって、給送経路７５へ進出する方向へ付勢されている。
【００３３】
そして、給送用ローラ軸７４１には、揺動規制レバー８４と係合するカム８５が一体的に配設されている。カム８５は、図示の如く、円弧状の部分と直線状の部分とを有するＤ型形状の部材である。より具体的には、このカム８５は、Ｄ型ローラである給送用ローラ７４と側面視において相似形となるＤ型形状の部材であり、給送用ローラ７４と略同位相となるように給送用ローラ軸７４１に配設されている。
【００３４】
複数の案内部材８１は、給送用ローラ軸７４１と一体に回転するカム８５のカム形状に応じて符号Ａで示した揺動方向へ揺動し、給送経路７５に設けられた孔７５２を通じて給送経路７５に出没する。つまり、複数の案内部材８１は、給送用ローラ７４の回転に連動して給送経路７５に出没する。さらに、紙戻しレバー７８も給送用ローラ７４の回転に連動して変位することから、複数の案内部材８１は、紙戻しレバー７８の変位にも連動して変位することになる。
【００３５】
つづいて、本発明に係る自動給送装置７０の動作について説明する。
【００３６】
図４は、本発明に係る自動給送装置７０の要部を図示した側断面図であり、記録紙Ｐを給送している状態を図示したものである。  
ホッパ７１は、給送用ローラ７４の回転に連動して動作する揺動機構（図示せず）により、給送用ローラ７４へ向けて符号Ｂで示した揺動方向へ揺動する。それによって、ホッパ７１に載置された記録紙Ｐは、給送用ローラ７４の外周面に押圧された状態となる。そして、給送用ローラ７４が符号Ｃで示した回転方向へ回転することにより、記録紙Ｐは、搬送駆動ローラ５１と搬送従動ローラ５２との当接面へ向けて案内リブ７５１の頂面に案内されながら給送方向ＹＦへ給送される。
【００３７】
このとき、給送されるべき記録紙Ｐ及び他の記録紙（図示省略）は、給送用ローラ７４の外周面の円弧状部分と分離パッド７６とで挟持された状態となる。それによって、給送されるべき記録紙Ｐだけが給送用ローラ７４の回転により給送され、他の記録紙Ｐは分離パッド７６との接触面に作用する摩擦力によって係止され、それによって、記録紙Ｐの重送が防止される。
【００３８】
図５は、本発明に係る自動給送装置７０の要部を図示した側断面図であり、記録紙Ｐを給送した後の状態を図示したものである。  
給送された記録紙Ｐは、給送方向ＹＦの先端が搬送駆動ローラ５１と搬送従動ローラ５２との当接面に到達し、搬送駆動ローラ５１と搬送従動ローラ５２とで挟持されて搬送方向Ｙへ搬送可能な状態となる。その時点で、ホッパ７１は、符号Ｄで示した揺動方向へ揺動して退避した状態となる。また、給送用ローラ７４は、回転中心となる給送用ローラ軸７４１から外周面までの距離が相対的に短い直線状の部分が分離パッド７６と対面した状態となる位置まで回転して停止する。つまり、給送用ローラ７４の外周面と分離パッド７６とは、大きく離間した状態となる。それによって、給送された記録紙Ｐが搬送駆動ローラ５１の回転により搬送方向Ｙへ搬送される際には、その記録紙Ｐにバックテンションはほとんど作用しない状態になるが、他方、分離パッド７６に係止されていた他の記録紙（図示省略）は、給送経路７５を自由に移動可能な状態となる。
【００３９】
このとき、紙戻しレバー７８は、給送用ローラ７４の回転に連動して、所定のタイミングで給送経路７５に進出して他の記録紙を係止するとともに、係止した他の記録紙をホッパ７１へ向けて押動する方向へ変位する（符号Ｇ）。それによって、搬送駆動ローラ５１の回転により搬送方向Ｙへ搬送される記録紙Ｐに引きずられるように他の記録紙が給送される連れ給送を防止することができる。尚、紙戻しレバー７８は、軸部７８１を回動中心として符号Ｇで示した方向へ回動可能に基体７０１に支持されている。
【００４０】
そして、この状態においては、カム８５の外周面形状に沿って揺動体８３が符号Ａ１で示した揺動方向へ揺動し、案内部材８１が符号Ｅで示した方向へ変位する。つまり、複数の案内部材８１は、給送用ローラ７４の回転に連動して、案内リブ７５１の頂面より上方へ進出する（符号Ｅ）。したがって、搬送駆動ローラ５１の回転により搬送方向Ｙへ搬送される記録紙Ｐは、図示の如く、案内部材８１によって、紙戻しレバー７８から離間する方向（符号Ｆで示した方向）へ押動された状態で支持されながら給送方向ＹＦへ案内される。それによって、給送された記録紙Ｐが紙戻しレバー７８から離間した状態又は紙戻しレバー７８にほとんど接しない状態にすることができる。
【００４１】
以上説明したように、本発明に係る自動給送装置７０は、給送された記録紙Ｐが紙戻しレバー７８から離間した状態又は紙戻しレバー７８にほとんど接しない状態にすることができる。それによって、その記録紙Ｐが搬送駆動ローラ５１の回転により搬送方向Ｙへ搬送される際に、その記録紙Ｐに紙戻しレバー７８が摺接して傷等が付いてしまうことを防止することができる。また、給送された記録紙Ｐが搬送駆動ローラ５１の回転により搬送方向Ｙへ搬送される時の搬送負荷を低減させることができる。さらに、搬送方向Ｙへ搬送される記録紙Ｐの後端が紙戻しレバー７８から離間する時に、記録紙Ｐの搬送負荷が大きく変動する虞を低減させることができる。
【００４２】
さらに、案内部材８１は、上記実施例のように、給送用ローラ７４の回転に連動して変位するのが好ましい。それによって、給送用ローラ７４の回転により給送される記録紙Ｐの位置に応じて、適切なタイミングで案内部材８１を変位させることができる。例えば、案内リブ７５１の頂面に沿って給送される記録紙Ｐの給送方向ＹＦの先端が搬送駆動ローラ５１と搬送従動ローラ５２との当接面に到達して係合した後に、案内部材８１が案内リブ７５１の頂面より上方へ進出するのが好ましい。それによって、記録紙Ｐの給送方向ＹＦの先端が給送途中で案内部材８１に引っ掛かってしまうことを確実に回避することができる。また、給送される記録紙Ｐが給送途中で案内リブ７５１の頂面による本来の給送経路から逸脱してしまうことを確実に回避することができる。
【００４３】
さらに、案内部材８１は、上記実施例のように、紙戻しレバー７８の変位に連動して変位するのが好ましい。それによって、紙戻しレバー７８が案内リブ７５１の頂面に進出するタイミングに合わせて案内部材８１を変位させることができる。例えば、紙戻しレバー７８が案内リブ７５１の頂面に進出する前に、案内部材８１を案内リブ７５１の頂面より上方へ進出させるのが好ましい。それによって、給送された記録紙Ｐが紙戻しレバー７８に摺接することを確実に回避することができる。
【００４４】
さらに、案内部材８１は、上記実施例のように、給送方向ＹＦと交差する方向へ離間して複数配設されているのが好ましい。それによって、記録紙Ｐをより安定的に支持することができるので、給送された記録紙Ｐが搬送駆動ローラ５１の回転により搬送方向Ｙへ搬送される時にスキュー（搬送方向Ｙに対する記録紙Ｐの傾き）等が生ずる虞を低減させることができる。
【００４５】
＜本発明に係る自動給送装置の他の実施例＞
本発明に係る自動給送装置７０の他の実施例としては、例えば、案内部材８１が所定の変位位置で案内リブ７５１の頂面の一部を構成するようにすることもできる。つまり、案内リブ７５１の一部を変位可能に支持された案内部材８１で構成することもできる。それによって、案内部材８１を変位可能に配設しつつ一連の連続した「給送案内面」を構成することができるので、給送される記録紙Ｐの先端が給送経路７５の孔７５２等に引っ掛かってしまう虞を低減させることができる。
【００４６】
また、本発明に係る自動給送装置７０の他の実施例としては、搬送駆動ローラ５１の回転に連動して案内部材８１を変位させることもできる。例えば、搬送駆動ローラ５１が回転している間、その回転を利用して案内部材８１が案内リブ７５１の頂面より上方へ進出した状態が維持されるようにすれば、上記の実施例と同様の作用効果が得られる。
【００４７】
そして、本発明に係る自動給送装置の適用範囲は、特にインクジェットプリンタに限定されるものではなく、自動給送装置を搭載する「電子機器」の全てに適用することができるのは言うまでもない。例えば、レーザプリンタ、ドットインパクトプリンタ等、自動給送装置を備えた記録装置の全てにおいて、本発明の実施は可能であり、本発明による作用効果を得ることができる。さらに、自動給送装置により給送される記録紙を「搬送手段」により搬送しながらその記録紙に記録されている情報を読み取る手段を備えたスキャナ装置、コピー機、ファクシミリ等の電子機器においても本発明の実施は可能であり、本発明による作用効果を得ることができる。
【００４８】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４９】
【図１】インクジェットプリンタの側断面図。
【図２】本発明に係る自動給送装置の一部を拡大図示した斜視図。
【図３】本発明に係る自動給送装置の要部を図示した斜視図。
【図４】記録紙を給送している状態を図示した自動給送装置の要部側断面図。
【図５】記録紙を給送した後の状態を図示した自動給送装置の要部側断面図。
【符号の説明】
【００５０】
５０  インクジェットプリンタ、  ７０  自動給送装置、  ７１  ホッパ、  ７２  左エッジガイド、  ７３  右エッジガイド、  ７４  給送用ローラ、  ７５  給送経路、  ７６  分離パッド、  ７７  給送用モータ、  ７８  紙戻しレバー、  ８１  案内部材、  ８２  揺動軸、  ８３  揺動体、  ８４  揺動規制レバー、  ８５  カム、  ８６  コイルばね、  ７５１  案内リブ、  Ｐ  記録紙、  Ｘ  幅方向、  Ｙ  搬送方向、  ＹＦ  給送方向
【図１】
2009263068.tif 000003
【図２】
2009263068.tif 000004
【図３】
2009263068.tif 000005
【図４】
2009263068.tif 000006
【図５】
2009263068.tif 000007